(57)【要約】【課題】  加熱した管球のバルブ端部を二対のピンチャーを用い４方向から押圧して長方形状をした圧潰封止部を形成するに際し、そのピンチャーの動作を規制することによって、圧潰封止部の形状や寸法などをほぼ一定化してランプと他の部材との整合性の改善がはかれる高圧放電ランプなどの管球の製造方法を提供することを課題とする。【解決手段】  内部に電極マウント２Ａを介在したガラス製バルブ１の端部を加熱し、この端部を対向配設されたピンチャーを用い押圧して偏平な圧潰封止部１ａ，１ｂを形成する管球の製造方法において、上記ピンチャーは偏平面を形成する一対の主ピンチャー４１，４１と、この偏平面間の幅狭の両側面を形成する一対の副ピンチャー４５，４５とからなり、主および副ピンチャー４１，４１，４５，４５が同方向から共に前進して圧潰封止部を成形した後、主ピンチャー４１，４１より先に副ピンチャー４５，４５が封止部偏平面と交差する方向に離脱するようにした管球Ｌ１の製造方法である。【選択図】  図２
2006049060.tif 000002
【特許請求の範囲】
【請求項１】
内部に電極マウントを介在したガラス製バルブの端部を加熱し、この端部をバルブ軸を中心として対向配設されたピンチャーを用い押圧して偏平な圧潰封止部を形成する管球の製造方法において、
上記ピンチャーは偏平面を形成する一対の主ピンチャーと、この偏平面間の幅狭の両側面を形成する一対の副ピンチャーとからなり、主および副ピンチャーが同方向から共に前進して圧潰封止部を成形した後、主ピンチャーより先に副ピンチャーが封止部偏平面と交差する方向に離脱するようにしたことを特徴とする管球の製造方法。
【請求項２】
主ピンチャーと副ピンチャーとの接触部から押圧されたガラスが流出しないことを特徴とする上記請求項１に記載の管球の製造方法。
【請求項３】
主ピンチャーの押圧面に凹部または凸部が設けられ、押圧された偏平面に突起または凹所が形成されることを特徴とする上記請求項１または２に記載の管球の製造方法。
【発明の詳細な説明】
【技術分野】
【０００１】
本発明は、ガラス製バルブ端部の気密閉塞を圧潰封止により行う、高圧放電ランプの発光管などの管球の製造方法に関する。
【背景技術】
【０００２】
管球においては、ガラス製バルブの端部を気密閉塞するとともにこの端部に電極マウントを封止することが行われ、この封止手段として放電電極やフィラメントを支持する導入線を封着したフレアステムやボタンステムなどで構成するマウントを用いステムとバルブとを封止したり、あるいは電極を支持する導入箔や導入線またはビードに固定した導入線などで構成するマウントを用い直接に導入線などとバルブとを封止することが採用されている。
【０００３】
この後者の直接に導入線や導入箔とバルブとを封止する方法は、高圧放電ランプ発光管などのステムを必要としないマウントの場合とか、ステムを用いないウエッジベース形ランプなどにおいてマウントの部品点数の節減ができるとともにステム製作が不要でコストの低減がはかれるなどのことから多くの管球で採用されている。
【０００４】
そして、この封止はたとえば高圧放電ランプに用いられる発光管の場合、気密封着用部材であるモリブデンなどの金属箔の一端側には電極を形成した内部導入線を他端側には外部導入線を接続したマウントを用意し、このマウントを石英ガラス製のバルブ端部の開口部から進入させ金属箔部をバルブ端部の封止予定部に位置させた状態で、バルブ端部を外方からバーナで加熱する。
【０００５】
この加熱によりバルブ端部が軟化溶融したら、この端部の封止予定部に向け対向配置してある一対のピンチャーを動作させて、封止予定部を正対した方向から押圧してバルブ端部に偏平状の圧潰封止部を形成している。
【０００６】
なお、バルブの両端にマウントを封止する場合は、バルブの他端にも上記と同様な作業が行なわれる。
【０００７】
しかし、上述したような対向した一対のピンチャーにより形成した発光管の圧潰封止部は、石英ガラス製のバルブ端部の肉厚、バーナの火力や加熱時間、ピンチャーなどの条件によって押圧されたガラスの流動状況が変わり、各封止部毎に形成される偏平部の形状、幅や厚さなどの寸法にばらつきが生じるとともに側面角部近傍に突出したバリや反りなどの発生があり、封止部を利用しての発光管の取付けや口金の取着などあるいは発光管を外管のネック部内や中空管内を通すときに装着や通過させることができないなど所定の作業が行えないことがあった。
【０００８】
また、特に上記問題に対処しているものではないが、横断面が長方形状や略Ｈ字形状の封止部が得られるよう圧潰封止部の形成を、側面から押圧体を延出した略Ｌ字形をなす一対のピンチャーで行うことが特許文献１に、また、封止部を横断面方向から見て直交した２方向から２対のピンチャーにより行うことが特許文献２および３に開示されている。
【０００９】
しかし、上記特許文献１によるものは偏平面形成の主ピンチャーの側面にこの主ピンチャー面と直交した方向に副ピンチャーを構成する押圧体が延出していて、対向配置された両主ピンチャーが直線的に前進してバルブの軟化したガラスを押圧するとともに相手方主ピンチャーの側面に押圧体が前進して、両主ピンチャーおよび両押圧体がバルブを四方から囲む内面が長方形状をなし、両主ピンチャーに押圧されたガラスは側面方向に流れ動いても側面の両押圧体により移動が規制阻止され、バルブ軸に沿って逃げ部となっている端部方向へと流動して圧潰封止部を形成する。
【００１０】
そして、この押圧が終了すると両主ピンチャーおよび両押圧体は直線的に後退して圧潰封止部から離れるが、主ピンチャーの側面に設けられた押圧体面が偏平面を結ぶ封止部側面を擦るようにして後退するため未だ高温状態にある封止部側面角部近傍が後退方向に反るなど変形することがあり、完成した発光管などと他の部材との組立て整合性に上述したような不具合を生じることがある。
【００１１】
この封止部側面角部近傍の変形を防ぐ手段としては、圧潰封止部の形成後ガラスを十分に冷却してから主ピンチャーおよび押圧体を後退させるようにすればよいが、封止作業に多大の時間がかかり生産性が低下するという問題がある。
【００１２】
また、上記特許文献２および３によるものは、直交した方向に各一対のピンチャーを用い（計４方向から押圧する。）圧潰封止部を形成しているが、特許文献２の場合は各対のピンチャーの具体的な動作説明の記載がないばかりか偏平面形成の主ピンチャーと直交した方向の副ピンチャーとが押圧動作時には若干の隙間を確保していることが記載されている。
【００１３】
これは特許文献２中の説明や図面から明らかなように、圧潰封止部の横断面を略Ｈ字形状をなすよう形成するためで、この場合圧潰封止時に軟化したガラスを押圧すると主ピンチャーと直交した方向の副ピンチャーとの略Ｈ字形状の端部を形成する隙間部分には規制壁などが設けられていないので不均一にガラスが流れ込む虞があり、所望形状や寸法を有する圧潰封止部が得られないことがある。
【００１４】
また、上記特許文献３には、４方向からピンチャーで押圧して圧潰封止部を形成しているが、各対のピンチャーの具体的な動作説明の記載は見当らたず特許文献２と同様な不具合発生の虞があるものと推察される。
【特許文献１】特許第２５５６１３４号公報
【特許文献２】特開平６−１４０００１号公報
【特許文献３】特開２００２−３５８８８６号公報
【発明の開示】
【発明が解決しようとする課題】
【００１５】
本発明は、加熱した管球のバルブ端部を二対のピンチャーを用い４方向から押圧して長方形状をした圧潰封止部を形成するに際し、そのピンチャーの動作を規制することによって、圧潰封止部の形状や寸法などをほぼ一定化してランプと他の部材との整合性の改善がはかれる高圧放電ランプなどの管球の製造方法を提供することを課題とする。
【課題を解決するための手段】
【００１６】
本発明の請求項１に記載の管球の製造方法は、内部に電極マウントを介在したガラス製バルブの端部を加熱し、この端部をバルブ軸を中心として対向配設されたピンチャーを用い押圧して偏平な圧潰封止部を形成する管球の製造方法において、上記ピンチャーは偏平面を形成する一対の主ピンチャーと、この偏平面間の幅狭の両側面を形成する一対の副ピンチャーとからなり、主および副ピンチャーが同方向から共に前進して圧潰封止部を成形した後、主ピンチャーより先に副ピンチャーが封止部偏平面と交差する方向に離脱するようにしたことを特徴としている。
【００１７】
加熱されたガラス製バルブの端部は、偏平面を形成する一対の主ピンチャーおよび偏平面間の幅狭の側面を形成する一対の副ピンチャーの計４個のピンチャーを横断面が長方形状となるよう配設して押圧し、押圧後は封止部側面を形成する副ピンチャー側を主ピンチャー側より先に封止部面より交差する方向に逃がし、その後主ピンチャー側の押圧を解くようにしている。
【００１８】
このように封止部側面より斜行あるいは直交方向の交差する方向に副ピンチャーを移動して離脱するようにしたので、封止部の側面を擦ることによる圧潰封止部側面角部近傍に生じ易い凹凸、バリや反りなどの発生の防止がはかれるとともに横断面が長方形状で外周が平坦面をなす寸法精度の高い圧潰封止部を形成できる。
【００１９】
本発明で適用される管球の透光性気密容器すなわちバルブを構成するガラスは、石英ガラス、アルミノシリケートガラスなどの硬質ガラス、ソーダライムガラスなど軟質ガラスを用いることができ、その形状はＴ（管）形、Ｇ（球）形、Ｒ（反射）形あるいはＡやＰＳ（洋梨）形など圧潰封止部が形成できるものであればよい。
【００２０】
また、本発明中に記載の電極マウントとは、放電ランプの場合は放電電極を備えたマウントを、また、電球の場合はフィラメントを備えたマウントを指す。
【００２１】
また、本発明の圧潰封止部が対応する部材としては、封止部を収容する口金など、封止部を挿通する外管や中空管など、封止部を支持するサポート部材など、封止部を装着するソケット装置などが挙げられる。
【００２２】
さらに、本願発明が適用できる管球とは、メタルハライドランプや水銀ランプなどの高圧放電ランプ、蛍光ランプやネオンランプなどの低圧放電ランプ、ハロゲン電球やウエッジベース形電球などの電球を指し、その用途は問わない。
【００２３】
本発明の請求項２に記載の管球の製造方法は、主ピンチャーと副ピンチャーとの接触部から押圧されたガラスが流出しないことを特徴としている。
【００２４】
横断面が長方形状となるよう計４個のピンチャーを４方から囲うよう配設してあるので押圧により流動したガラスがピンチャー間から漏れることもなくバルブ端部側へと流れ封止部の圧潰面にバリなどの発生がない。
【００２５】
本発明の請求項３に記載の管球の製造方法は、主ピンチャーの押圧面に凹部または凸部が設けられ、押圧された偏平面に突起または凹所が形成されることを特徴としている。
【００２６】
上記請求項１，２のように本発明の圧潰封止部の各面は平坦状であるが、主ピンチャーの押圧面に凹部または凸部を設けておくことにより、各偏平面には突出した突起または凹所が形成され、管球バルブを支持部材などに取り付けの際、確実、かつ、強固に保持固定させることができる。
【発明の効果】
【００２７】
請求項１の発明によれば、相対する２対（計４個）のピンチャーを用い圧潰封止部を形成するにあたり、押圧後に側面側のピンチャーを偏平面側のピンチャーより先に側面を擦らないように後退させることにより、偏平面や側面、特に両者が交差する角部近傍には凹凸、バリや反りなどの変形を生じることがないとともに成形寸法のばらつきが小さく、封止部に口金を取着したり封止部を中空管や外管内を挿通する管球、あるいは封止部を直接にソケット装置に装着する管球などの場合に、その取付けや装着が不能になるものがない確実、かつ、高精度の対応がはかれる管球の製造（封止）方法を提供できる。
【００２８】
また、請求項２の発明によれば、封止に際し、横断面が長方形状となるよう計４個のピンチャーを４方から囲うよう配設してあるので押圧により流動したガラスがピンチャー間から漏れることもなく、外周、特に側面角部近傍にはバリなどの発生がない平坦な面を有する圧潰封止部を形成できる。
【００２９】
さらに、請求項３の発明によれば、本発明は上記請求項１，２に記載のように圧潰封止部の各面は平面状であることが基本であるが、各偏平面には突出した突起または凹所を形成しておくことにより管球バルブを支持部材やソケット装置などに取り付けの際、確実、かつ、強固に保持固定させることができる。
【発明を実施するための最良の形態】
【００３０】
以下，本発明の実施の形態を図１および図２を参照して説明する。図は管球、たとえば高圧放電ランプの発光管で、図１は発光管の概略正面図、図２（ａ）〜（ｆ）は発光管の製造工程であるガラス製バルブの端部にマウントを封止する工程の一部を順を追って示す説明図である。
【００３１】
図１に示す発光管Ｌ１は、透光性気密容器を形成する直管（Ｔ）形の石英ガラスからなるバルブ１の両端部に圧潰封止部１ａ，１ｂを有し、一方の圧潰封止部１ａには電極マウント２Ａが、また、他方の圧潰封止部１ｂには２組の電極マウント２Ｂ，２Ｃの金属箔２１，２１，…部分が気密に封止されている。これら圧潰封止部１ａ，１ｂは、対向した両側に偏平面が形成されているとともに偏平面間を結ぶ側面が平面状であって横断面が図１（ｃ）に示すような長方形状をしている。
【００３２】
上記電極マウント２Ａおよび２Ｂは、リボン状のモリブデンＭｏからなる金属箔２１の一端側にタングステンＷやモリブデンＭｏなどからなる内部導入線２２がそれぞれ溶接やかしめ止めなどの手段で接続され、この内部導入線２２の先端にはタングステンＷ線を巻回した放電電極３ａ（または３ｂ）が設けられている。
【００３３】
また、金属箔２１の他端側にはモリブデンＭｏなどからなる外部導入線２３が上記と同様な手段で接続されている。また、電極マウント２Ｃは、内部導入線２２の先端を上記電極マウント２Ｂの放電電極３ｂに近接して配設して補助電極としている。なお、図中１５は排気管のチップ部である。
【００３４】
また、発光管バルブ１内には、放電媒体として所定量の水銀と金属ハロゲン化物およびアルゴンガスなどの不活性ガスが封入してある。この金属ハロゲン化物としては、よう素Ｉや臭素Ｂｒなどのハロゲンと、ナトリウムＮａ、スカンジウムＳｃ、セシウムＣｓやディスプロシウムＤｙなどの少なくとも一種の発光金属とが封入され、発光効率、演色性や色温度などの特性向上をはかっている。
【００３５】
このような構成の発光管Ｌ１は、図２（ａ）〜（ｆ）に上方から見た概略を示す封止装置により製造（封止）される。（なお、図２（ｂ）は上側が上面図で、下側が側面図であり、また、図２（ｆ）は主ピンチャー４１を押圧面側から見た正面図である。）
図２において、４，４は対向して配設された一対の押圧装置部分で、対向面にバルブ１の半径寸法より少々大きく形成された凹所４２、この凹所４２に連設して偏平面を形成する押圧面４３を備えた主ピンチャー４１および一端側が軸４７やピンなどに軸支され回動できるとともに上記主ピンチャー４１の押圧面４３と直交した側面に沿い押圧面４３より先方にまで突出して設けられた腕木状の副ピンチャー４５を有している。
【００３６】
なお、この副ピンチャー４５の主ピンチャー４１と接する面は平面部４６となっている。また、図示していないが主ピンチャー４１，４１の押圧面４３を外れた部位に対向して主ピンチャー４１の移動を規制する進退が調整可能なストッパーを設けることができる。
【００３７】
そして、この一対の押圧装置４，４部分は、通常、両主ピンチャー４１，４１が開放された隔離状態にあって、動作時両主ピンチャー４１，４１の前進（接近）時には副ピンチャー４５も共に同時に平行移動し、予め封止部厚さに対応してストッパーを調整して設定した位置にて移動が停止できる。
【００３８】
このとき、両主ピンチャー４１，４１の各押圧面４３，４３とこの両押圧面４３，４３間に臨む両副ピンチャー４５，４５の平面部４６，４６との４面が囲う内面の横断面は長方形状をなすよう構成されている。
【００３９】
その封止方法は、封止装置のヘッド（図示しない。）の中心に石英ガラス管からなるバルブ１が垂直になるようホルダ（図示しない。）に支持させるとともに下方のマウント支持台（図示しない。）に垂直支持させた電極マウント（２Ａ）をバルブ１の開口部から金属箔（２１）部がバルブ１内に入るまで移動進入させる。（なお、バルブ側あるいは両者を移動させてもよい。）
そして、バルブ１を中心としてほぼ等間隔で配設した複数組のガスバーナ４９，…によってバルブ１の端部近傍を外から加熱する。この加熱はヘッド側またはガスバーナ４９，…側を回動させながら行うことにより、封止予定部のガラスを均等に軟化溶融できる。（図２（ａ））
ついで、この加熱により軟化溶融しほぼ中心に収縮してきたらバルブ１の端部近傍に一対の押圧装置４，４をバルブ１を中心として対向配置する。（図２（ｂ））
つぎに、一対の押圧装置４，４をバルブ１に向け両側から矢印方向に前進させてバルブ１端部近傍の壁面を両外側から主ピンチャー４１，４１の各押圧面４３，４３で押圧する。このとき軟化溶融したガラスは、押圧面４３，４３で押圧されることにより圧潰流動して、両押圧面４３，４３とこの両押圧面４３，４３間に臨む両副ピンチャー４５，４５の平面部４６，４６とで囲われた横断面が長方形状をなす内部に充填された状態となる。なお、内部に充填された図において下方や上方（最端部）の端面は図１（ａ）に示すように直線状ではなく不規則な流動が起こり凹凸面となるが両圧潰面には凸状部などの突起は形成されない。
【００４０】
また、上記主ピンチャー４１，４１の各押圧面４３，４３での押圧により溶融したガラスは、内部にある金属箔２１および内外導入線２２，２３の接続基部近傍を覆うとともに熱膨張係数が近似した金属箔２１の表面部分を濡らし両者は気密に封着される。また、この押圧時にバルブ１内に大気圧以上の圧力の不活性ガスや乾燥エアーを注入することにより、押圧部近傍の軟化状態にあるガラスを膨らせ凹所４２により略半球状に成形することができる。（図２（ｃ））
そして、上記主ピンチャー４１，１の各押圧面４３，４３と副ピンチャー４５，４５の平面部４６，４６とで囲われた圧潰封止部分のガラスがある程度冷えて固化したら、まず、各軸４７に支承された腕木状の副ピンチャー４５を矢印方向の外側に拡開して圧潰封止部１ａの側面から平面部４６，４６を離脱させる。（図２（ｄ））
つぎに、一対の押圧装置４，４が離れるよう主ピンチャー４１および副ピンチャー４５を後退させバルブ１の圧潰封止部１ａの偏平面から主ピンチャー４１，４１の各押圧面４３，４３を離脱させる。（図２（ｅ））
上述した一連の封止作業が終ったら、ついで、バルブ１の上下を逆転してバルブ１の他端側に上記と同様な手段で電極マウント２Ｂおよび２Ｃを封止して圧潰封止部１ｂを形成する。なお、２組の電極マウント２Ｂ，２Ｃを封止する場合は、両者が電気的に接触しないような配設する他は１組の電極マウント２Ａの場合と特に変わるところはない。
【００４１】
上記両端にマウント２Ｂおよび２Ｃを封止したバルブ１は、排気装置において排気管を通じバルブ１内の排気と所定量の水銀と金属ハロゲン化物およびアルゴンガスなどの不活性ガスが封入が行われた後、排気管がチップオフされて図１に示す発光管Ｌ１が得られる。
【００４２】
そして、本発明が特徴とするところは上記主ピンチャー４１，４１および副ピンチャー４５，４５による押圧後のピンチャーの開放で、圧潰封止部１ａ（１ｂ）の側面を形成する部分の副ピンチャー４５，４５からしかも封止部１ａ（１ｂ）の側面を擦らせず、側面から直ちに離脱するよう斜行あるいは直交方向に副ピンチャー４５，４５を移動させたことにある。
【００４３】
このように副ピンチャー４５，４５を側面から移動（後退）させれば、従来のように副ピンチャー４５の平面部４６が成形された側面を擦っていくため生じることがあった偏平面や側面、特に偏平面と側面とが交差する角部近傍に曲りや反りなどの変形の発生がなく、副ピンチャー４５の平面部４６により形成された平坦面を備えた発光管Ｌ１が得られる。また、成形後のピンチャーの開放時間が従来と同じ所要時間（冷却時間）であれば規格外品（不良）の発生も少なく生産性を向上できる。
【００４４】
また、この副ピンチャー４５の移動方向は斜行に限らず直交方向であっても同様な作用効果が得られる。
【００４５】
なお、上記封止作業は、通常、作業ヘッドが複数組設けられたスパイダーやコンベヤーを回転させ、順次加工を行うようにすることにより発光管Ｌ１の量産化がはかれる。また、主ピンチャー４１および副ピンチャー４５の前進や後退あるいは副ピンチャー４５が先に押圧を解除する動作は上記実施の形態に限らず、一連の作業を両ピンチャー４１，４５が連動する駆動により行ってもあるいは個々のピンチャー４１，４５の駆動を連動させるようにしてもよく、また、その駆動は機械的あるいは電気的な手段で容易に行うことができる。
【００４６】
そして、上記図１に示す発光管Ｌ１は、高圧放電ランプたとえば図３に正面図で示す二重管構造のメタルハライドランプＬ２内に組み込まれる。
【００４７】
このメタルハライドランプＬ２などの発光管Ｌ１は、封止部１ａ，１ｂなどに熱膨張係数差などによるストレスや少々の傷などの欠陥があると、点灯時のバルブが高温高圧となったときにこの欠陥に起因してクラックなどを生じ、このクラックが基で発光管Ｌ１が破裂することがある。また、発光管Ｌ１は、温度を高めることによって高効率点灯できることが知られている。
【００４８】
そこで、上記欠陥による発光管バルブのクラックや破裂時にガラス部材などの飛散を外管バルブ内に抑えることや発光特性の向上をはかるため、発光管Ｌ１を耐熱透光性材料からなる円筒状の中空管で覆い保護や保温するよう構成されていることが多い。
【００４９】
この図３に示すランプＬ２もこのような事情に対処した構成のもので、一端部にステム５を封止した外管バルブ６内の上下方に配設した一対のサポート部材７ａ，７ｂはモリブデンＭｏやステンレスなどのサポート線７１，…や板状体を略コ字形に成形したものからなり、発光管Ｌ１およびこの発光管Ｌ１を囲繞した石英ガラスやセラミックスからなる円筒状の透光性中空管８の端部を支持したものからなる。
【００５０】
外管バルブ６はホウケイ酸ガラスなどの透光性の硬質ガラスからなり、中央部に膨出部６１を有するとともに図示下部側の閉塞されたトップ部６２および上部側のネック部６３に小径部分を有するいわゆるＢＴ形に形成されている。このネック部６３側にはステム５が封止られた封止部（図示しない。）を有し、この封止部を覆ってＥ形の口金６９が取付けられている。
【００５１】
なお、ネック部６３側のサポート部材７ｂは、略コ字形状に折曲したサポート線７１を上記ステム５に植設した導入線５１に溶接により接続したり、ステム５管に巻装したバンド部材に締結などの手段で固定して支持されている。
【００５２】
外管バルブ６内における上記発光管Ｌ１および中空管８の支持は、上記外管バルブ６のトップ部６２およびネック部６３側に配設されるサポート線７１，…を略コ字形に成形したサポート部材７ａ，７ｂにより行われる。発光管Ｌ１はサポート部材７ａ，７ｂの開口部に封止部１ａ，１ｂを位置させて、帯状の金属板からなるバンド部材７２，７２で封止部１ａ，１ｂを挟みサポート線７１，…に溶接などの手段で接続することにより固定されている。
【００５３】
また、上記発光管Ｌ１の周囲を覆う円筒状の中空管８は、中空管８の端面とほぼ同形のリング状に打ち抜き複数箇所に起立片８１，…を設けた保持板８０を両端部に当て起立片８１，…を起立させて中空管８の端部を外側から抑えたり内外面の両側から挟むようにするとともに一部の起立片８１，…をサポート部材７ａ，７ｂやバンド部材７２，７２に溶接などの手段で接続することにより固定している。なお、図中７３，…はサポート部材７ａ，７ｂを外管バルブ６の中心軸上にあるよう支持の補助をなす金属製の羽根状の弾性（ばね）部材でバルブ６のトップ部６２および必要に応じネック部６３の内周面に弾性当接している。
【００５４】
また、外管バルブ６内における電気的接続は、ステム５の一方の導入線５１にはサポート部材７ｂ、外部導入線２３を介し一方の主電極３ｂと接続し、ステム５の他方の導入線５２は発光管バルブ１と遠ざかるよう湾曲して離した細線からなる給電線７５、外部導入線２３を介し他方の主電極３ａと接続している。また、発光管Ｌ１の上下の主電極３ａ，３ｂと並列的に始動用のグロースタータ（点灯管）９１、バイメタルを用いた熱応動スイッチ９２、抵抗９３などの部品で構成した始動補助回路９が接続されるとともにこの補助回路９は上記マウント２Ｃの補助電極を形成する内部導入線２３に接続している。
【００５５】
そして、このメタルハライドランプＬ２をソケットに装着して、電源から安定器などを有する点灯回路装置を介し通電すれば、始動補助回路９を介し発光管Ｌ１内にある主電極３ａと主電極３ｂ、補助電極２２およびグロースタータ９１の両端間に高圧パルスが印加され、主電極３ｂと補助電極２との間の放電が生起した後、主電極３ａ，３ｂ間の放電に移行してランプＬ２の点灯が持続される。
【００５６】
そして、このメタルハライドランプＬ２は、発光管Ｌ１端部に形成した圧潰封止部１ａ，１ｂの横断面は４方を囲み成形した長方形状をなしていて偏平面はその幅と厚さを所望値に形成できるとともに封止部側面角部近傍には凹凸、バリや反りなどの発生がなく、発光管Ｌ１の周囲を覆う円筒状の中空管８内への収容が不可能にならず、通過収容させることが容易で作業を円滑に行うことができる。また、発光管Ｌ１の外周と中空管８内面との両者間の隙間を小さくでき保温効果を高め発光特性を向上できる。
【００５７】
さらに、中空管８を用いず発光管Ｌ１自体をサポート部材７ａ，７ｂに直付けする場合でも、所定位置に確実かつ容易に作業を行うことができる。
【００５８】
なお、上記図１で説明した圧潰封止部１ａ，１ｂの各偏平面は平面状であったが、各偏平面には上記図１中に各４ケ所点線で示すように偏平面より突出した突起１１，…を形成しておいてもよい。これら突起１１，…は平面ですべり易いバンド部材７２を確保するためのもので、縦列した突起１１，１１間の平面部１２に発光管Ｌ１固定用のバンド部材７２が配置され、突起１１，１１がバンド部材７２の移動を阻止して確実、かつ、強固に発光管Ｌ１を保持してサポート部材７ａ，７ｂに固定できる。
【００５９】
また、この突起１１，…は、主ピンチャー４１，４１の各押圧面４３，４３に凹部を設けることによって形成できる。
【００６０】
また、図４および図５は本発明管球の他の実施の形態を示し、図４は高圧放電ランプの正面図、図５はウエッジベース形電球の正面図で、図中、図１、図３と同一部分には同一の符号を付してその説明は省略する。
【００６１】
図４に示す発光管Ｌ３は、石英ガラスからなる球状をしたバルブ１の一端側に一対の電極マウント２Ｃを封止し、内部にハロゲン化物を含む放電媒体が封入してある片端封止のランプで、この発光管Ｌ３をさらに石英ガラスからなる外管６内に収容して封止した二重管形の片口金メタルハライドランプＬ４である。
【００６２】
この発光管Ｌ３および外管６の端部は上記実施の形態と同様な方法によりほぼ同形の圧潰封止部１ｂが形成され、外管６の圧潰封止部１ｂにはＧ１２形などの口金６９が接合されている。図中、６８，６８は端子ピンである。
【００６３】
上記発光管Ｌ３およびランプＬ４の各圧潰封止部１ｃ，１ｃも横断面は４方を囲み成形した長方形状をなしていて、偏平面や側面および角部には不所望な凹凸、バリや反りなどの発生がなく、発光管Ｌ３を外管６のネック部に確実かつ容易に挿通できるとともに外管６の圧潰封止部１ｃを口金６９内の所定位置に確実かつ容易に配置して接着剤や嵌合などにより固定でき、特にＯＨＰ用などの光学機器用や自動車などの車両用の光源として光源位置の精度が厳しいランプに適用して好ましい結果が得られる。
【００６４】
図５に示すウエッジベース形電球Ｌ５は無口金形のランプであって、ソーダライムガラスやアルミノシリケートガラスからなる管状バルブ１の一端側に内部にジュメット線などの封止線２１が封止された横断面が長方形状をなす圧潰封止部１ｄが形成されている。また、バルブ１内のマウント２Ｄは、一対の上記ジュメット線を延在させたりあるいはジュメット線に接続したニッケルメッキ鉄線などからなる内部導入線２２，２２にタングステンＷ細線を巻回したコイル状フィラメント３ｃを継線したものから構成されている。なお、外部導入線２３，２３は、上記ジュメット線を延在させたりあるいはジュメット線に接続したニッケルやヒューズ機能を呈する金属線からなる。
【００６５】
また、上記圧潰封止部１ｄは両偏平面に凹所１３が設けてあり、この凹所１３は電球Ｌ５の圧潰封止部１ｄをソケットに装着したとき係止片と係合して電球Ｌ５の抜け出しを防ぐ作用を奏する。
【００６６】
このウエッジベース形電球Ｌ５の場合も、口金を用いずソケット装置にその圧潰封止部１ｄを直接装着して用いられるため、ソケットの端子部材との整合性が厳しく、偏平面や側面および角部には不所望な凹凸、バリや反りなどの発生がないことが、確実、かつ、強固に固定でき、また、電気的な接続も確実に確保されることになり、自動車などの車両用やＡＶ機器用などの表示や照明用の光源として好適する。
【図面の簡単な説明】
【００６７】
【図１】本発明の高圧放電ランプに用いられる発光管の実施の形態を示す概略正面図である。
【図２】図（ａ）〜（ｆ）は発光管の製造工程であるガラスバルブの端部にマウントを封止する工程の一部を順を追って示す説明図である。
【図３】本発明の高圧放電ランプ（二重管構造のメタルハライドランプ）の実施の形態を示す正面図である。
【図４】本発明の発光管および高圧放電ランプ（二重管構造のメタルハライドランプ）の他の実施の形態を示す概略正面図である。
【図５】本発明のウエッジペース形電球の実施の形態を示す斜視図である。
【符号の説明】
【００６８】
Ｌ１、Ｌ３：管球（発光管）
Ｌ２、Ｌ４：管球（二重管形高圧放電ランプ）
Ｌ５：管球（ウエッジペース形電球）
１：ガラスバルブ
１ａ〜１ｄ：圧潰封止部
２Ａ〜２Ｄ：電極マウント
３ａ〜３ｃ：電極（放電電極）
３ｄ：電極（コイル状フィラメント）
４：押圧装置
４１：主ピンチャー
４５：副ピンチャー
６：外管
８：中空管
【図１】
2006049060.tif 000003
【図２】
2006049060.tif 000004
【図３】
2006049060.tif 000005
【図４】
2006049060.tif 000006
【図５】
2006049060.tif 000007